(57)【要約】【課題】一体型カードを使用してキャッシュカード取引が行われるときに、クレジットカード情報を含む情報が記録された磁気ストライプの読み出しエラーが発生した場合であってもキャッシュカード取引を可能にする。【解決手段】磁気ストライプとＩＣ（integrated circuit）チップとを有するカードを使用してキャッシュカード取引処理を実行する自動取引装置において、磁気ストライプ読み書き部が磁気ストライプに記録された情報の読み出しを行って読み出しエラーが発生した場合に、ＩＣチップ読み出し部がＩＣチップに記録された情報を暫定的に読み出し、当該情報に基づいて取引処理実行部がキャッシュカード取引処理を実行可能である場合は、カードがＩＣチップを有することを示すＩＣチップ有り情報を磁気ストライプ読み書き部が磁気ストライプに暫定的に書き込む。【選択図】図４
2019120956.tif 000002
【特許請求の範囲】
【請求項１】
磁気ストライプとＩＣチップとを有するカードを使用してキャッシュカード取引処理を実行する自動取引装置であって、
前記磁気ストライプに記録された情報の読み出し及び書き込みを行う磁気ストライプ読み書き部と、
前記ＩＣチップに記録された情報の読み出しを行うＩＣチップ読み出し部と、
前記キャッシュカード取引処理を実行する取引処理実行部と、
を備え、
前記磁気ストライプ読み書き部が前記磁気ストライプに記録された情報の読み出しを行って読み出しエラーが発生した場合に、前記ＩＣチップ読み出し部が前記ＩＣチップに記録された情報を暫定的に読み出し、当該情報に基づいて前記取引処理実行部が前記キャッシュカード取引処理を実行可能である場合は、前記カードが前記ＩＣチップを有することを示すＩＣチップ有り情報を前記磁気ストライプ読み書き部が前記磁気ストライプに暫定的に書き込む、
ことを特徴とする自動取引装置。
【請求項２】
前記磁気ストライプ読み書き部が前記磁気ストライプに記録された情報を読み出し、当該情報に前記ＩＣチップ有り情報が含まれる場合は、前記ＩＣチップ読み出し部が前記ＩＣチップに記録された情報を読み出し、当該情報に基づいて前記取引処理実行部が前記キャッシュカード取引処理を実行する、
ことを特徴とする請求項１記載の自動取引装置。
【請求項３】
磁気ストライプとＩＣチップとを有するカードを使用してキャッシュカード取引処理を実行する自動取引装置において実行される自動取引方法であって、
前記磁気ストライプに記録された情報の読み出しを行って読み出しエラーが発生した場合に、前記ＩＣチップに記録された情報を暫定的に読み出し、
当該読み出した情報に基づいて前記キャッシュカード取引処理を実行可能である場合に、前記カードが前記ＩＣチップを有することを示すＩＣチップ有り情報を前記磁気ストライプに暫定的に書き込み、
前記磁気ストライプに記録された情報を読み出し、
当該読み出した情報に前記ＩＣチップ有り情報が含まれる場合に、前記ＩＣチップに記録された情報を読み出し、
当該読み出した情報に基づいて前記キャッシュカード取引処理を実行する、
ことを特徴とする自動取引方法。
【請求項４】
磁気ストライプとＩＣチップとを有するカードを使用してキャッシュカード取引処理を実行する自動取引装置のコンピュータに、
前記磁気ストライプに記録された情報の読み出しを行って読み出しエラーが発生した場合に、前記ＩＣチップに記録された情報を暫定的に読み出し、
当該読み出した情報に基づいて前記キャッシュカード取引処理を実行可能である場合に、前記カードが前記ＩＣチップを有することを示すＩＣチップ有り情報を前記磁気ストライプに暫定的に書き込み、
前記磁気ストライプに記録された情報を読み出し、
当該読み出した情報に前記ＩＣチップ有り情報が含まれる場合に、前記ＩＣチップに記録された情報を読み出し、
当該読み出した情報に基づいて前記キャッシュカード取引処理を実行する、
という処理を実行させることを特徴とする自動取引プログラム。
【発明の詳細な説明】
【技術分野】
【０００１】
本発明は、磁気ストライプとＩＣ（integrated circuit）チップとを有するカードを使用してキャッシュカード取引処理を実行する自動取引装置、自動取引方法、及び自動取引プログラムに関する。
【背景技術】
【０００２】
従来、銀行等の金融機関の店舗やコンビニエンスストアの店舗等に設置されるＡＴＭ（Automated Teller Machine：現金自動預け払い機）等の自動取引装置では、磁気ストライプを有するカード（磁気カード）や、磁気ストライプとＩＣチップとを有するカード（磁気ＩＣカード）を使用して、キャッシュカード取引（金融機関取引）やクレジットカード取引が行われている。
【０００３】
このときに使用されるカードは、例えば、次の（１）〜（４）の４種類に大別される。
（１）磁気カードであって、キャッシュカード情報（金融機関番号、支店番号、科目、及び口座番号等）を含む情報が記録された磁気ストライプを有するキャッシュカード。
（２）磁気カードであって、クレジットカード情報（クレジットカード会員番号等）を含む情報が記録された磁気ストライプを有するクレジットカード。
（３）磁気ＩＣカードであって、キャッシュカード情報を含む情報が記録された磁気ストライプと、キャッシュカード情報を含む情報が記録されたＩＣチップとを有するキャッシュカード。
（４）磁気ＩＣカードであって、クレジットカード情報を含む情報が記録された磁気ストライプと、キャッシュカード情報を含む情報が記録された磁気ストライプと、キャッシュカード情報を含む情報が記録されたＩＣチップとを有するクレジットカード機能付きキャッシュカード（「一体型カード」ともいう）。
【０００４】
図１２は、上記４種類のカードを例示する図である。
図１２において、左上に例示したカード１００は、上記（１）の磁気カード（キャッシュカード）であって、キャッシュカード情報を含む情報が記録された磁気ストライプ１０１を有する。右上に例示したカード１１０は、上記（２）の磁気カード（クレジットカード）であって、クレジットカード情報を含む情報が記録された磁気ストライプ１１１を有する。左下に例示したカード１２０は、上記（３）の磁気ＩＣカード（キャッシュカード）であって、キャッシュカード情報を含む情報が記録された磁気ストライプ１２１と、キャッシュカード情報を含む情報が記録されたＩＣチップ１２２とを有する。右下に例示したカード１３０は、上記（４）の磁気ＩＣカード（一体型カード）であって、クレジットカード情報を含む情報が記録された磁気ストライプ１３１と、キャッシュカード情報を含む情報が記録された磁気ストライプ１３２と、キャッシュカード情報を含む情報が記録されたＩＣチップ１３３とを有する。
【０００５】
なお、図１２においては、キャッシュカード情報を含む情報が記録された、磁気ストライプ１０１、１２１、１３２とＩＣチップ１２２、１３３を灰色で示し、クレジットカード情報を含む情報が記録された、磁気ストライプ１１１、１３１を黒色で示している。また、矢印１０２、１１２、１２３、１３４は、正方向（順方向）のカード挿入方向を示し、矢印１３５は、逆方向のカード挿入方向を示している。
【０００６】
自動取引装置において上記４種類のカードのいずれかが使用されて取引が行われるときに、例えば磁気ストライプに記録された情報が破壊されていた場合には、磁気ストライプの読み出しエラーが発生する。このような場合は、次のような対応が為される。
【０００７】
上記（１）のキャッシュカード１００の場合は、自動取引装置での磁気ストライプ１０１の修復が不可であるので、金融機関窓口にて行員による磁気ストライプ１０１の修復等といった金融機関での対応が為される。
【０００８】
上記（２）のクレジットカード１１０の場合は、自動取引装置での磁気ストライプ１１１の修復が不可であると共に金融機関での対応も不可であるので、カード再発行等といったクレジットカード会社での対応が為される。
【０００９】
上記（３）のキャッシュカード１２０の場合は、自動取引装置での磁気ストライプ１２１の修復が為される。この場合は、自動取引装置が、ＩＣチップ１２２に記録された情報を読み出し、当該情報に含まれるキャッシュカード情報をホストコンピュータへ送信し、それに基づいたホストコンピュータからの指示に従って、磁気ストライプ１２１の修復（情報の書き換え）を行う（例えば特許文献１参照）。
【００１０】
上記（４）の一体型カード１３０の場合であって読み出しエラーが発生した磁気ストライプがクレジットカード情報を含む情報が記録された磁気ストライプ１３１である場合は、上記（２）の場合と同様に、クレジットカード会社での対応が為される。
【００１１】
自動取引装置において、上記（４）の一体型カード１３０を使用してキャッシュカード取引が行われる場合は、一体型カード１３０から次のようにして読み出されたキャッシュカード情報に基づいてキャッシュカード取引が行われる。
【００１２】
一体型カード１３０が正方向（矢印１３４の方向）に自動取引装置へ挿入された場合には、最初に、クレジットカード情報を含む情報が記録された磁気ストライプ１３１の情報が読み出され、当該情報にＩＣチップ有りを示す情報（カードがＩＣチップを有することを示す情報）が含まれる場合に、ＩＣチップ１３３に記録された情報が読み出され、当該情報に含まれるキャッシュカード情報に基づいてキャッシュカード取引が行われる。
【００１３】
一方、一体型カード１３０が逆方向（矢印１３５の方向）に自動取引装置へ挿入された場合には、最初に、キャッシュカード情報を含む情報が記録された磁気ストライプ１３２の情報が読み出され、当該情報に、カードが正方向に挿入されたときにＩＣチップが有ることを示す情報が含まれる場合に、一体型カード１３０を正方向に挿入し直すよう案内が為されると共に一体型カード１３０が一旦返却される。そして、一体型カード１３０が正方向に挿入し直されると、上述のようにしてＩＣチップ１３３に記録された情報が読み出され、当該情報に含まれるキャッシュカード情報に基づいてキャッシュカード取引が行われる。
【先行技術文献】
【特許文献】
【００１４】
【特許文献１】特開２０１７−４５１７４号公報
【発明の概要】
【発明が解決しようとする課題】
【００１５】
自動取引装置において、上記（４）の一体型カード１３０を使用してキャッシュカード取引が行われるときに、クレジットカード情報を含む情報が記録された磁気ストライプ１３１の読み出しエラーが発生した場合は、ＩＣチップ有りを示す情報が認識されないので、ＩＣチップ１３３からの情報の読み出しが行われず、キャッシュカード取引ができない。そのため、この場合は、クレジットカード会社にてカード再発行等の対応が為されるまでキャッシュカード取引ができない、という問題がある。
【００１６】
本発明は、上記実状に鑑み、一体型カードを使用してキャッシュカード取引が行われるときに、クレジットカード情報を含む情報が記録された磁気ストライプの読み出しエラーが発生した場合であってもキャッシュカード取引が可能になる自動取引装置、自動取引方法、及び自動取引プログラムを提供することを目的とする。
【課題を解決するための手段】
【００１７】
装置の一観点は、磁気ストライプとＩＣチップとを有するカードを使用してキャッシュカード取引処理を実行する自動取引装置であって、前記磁気ストライプに記録された情報の読み出し及び書き込みを行う磁気ストライプ読み書き部と、前記ＩＣチップに記録された情報の読み出しを行うＩＣチップ読み出し部と、前記キャッシュカード取引処理を実行する取引処理実行部と、を備え、前記磁気ストライプ読み書き部が前記磁気ストライプに記録された情報の読み出しを行って読み出しエラーが発生した場合に、前記ＩＣチップ読み出し部が前記ＩＣチップに記録された情報を暫定的に読み出し、当該情報に基づいて前記取引処理実行部が前記キャッシュカード取引処理を実行可能である場合は、前記カードが前記ＩＣチップを有することを示すＩＣチップ有り情報を前記磁気ストライプ読み書き部が前記磁気ストライプに暫定的に書き込む、ことを特徴とする。
【００１８】
方法の一観点は、磁気ストライプとＩＣチップとを有するカードを使用してキャッシュカード取引処理を実行する自動取引装置において実行される自動取引方法であって、前記磁気ストライプに記録された情報の読み出しを行って読み出しエラーが発生した場合に、前記ＩＣチップに記録された情報を暫定的に読み出し、当該読み出した情報に基づいて前記キャッシュカード取引処理を実行可能である場合に、前記カードが前記ＩＣチップを有することを示すＩＣチップ有り情報を前記磁気ストライプに暫定的に書き込み、前記磁気ストライプに記録された情報を読み出し、当該読み出した情報に前記ＩＣチップ有り情報が含まれる場合に、前記ＩＣチップに記録された情報を読み出し、当該読み出した情報に基づいて前記キャッシュカード取引処理を実行する、ことを特徴とする。
【００１９】
プログラムの一観点は、磁気ストライプとＩＣチップとを有するカードを使用してキャッシュカード取引処理を実行する自動取引装置のコンピュータに、前記磁気ストライプに記録された情報の読み出しを行って読み出しエラーが発生した場合に、前記ＩＣチップに記録された情報を暫定的に読み出し、当該読み出した情報に基づいて前記キャッシュカード取引処理を実行可能である場合に、前記カードが前記ＩＣチップを有することを示すＩＣチップ有り情報を前記磁気ストライプに暫定的に書き込み、前記磁気ストライプに記録された情報を読み出し、当該読み出した情報に前記ＩＣチップ有り情報が含まれる場合に、前記ＩＣチップに記録された情報を読み出し、当該読み出した情報に基づいて前記キャッシュカード取引処理を実行する、という処理を実行させることを特徴とする自動取引プログラムである。
【発明の効果】
【００２０】
開示の装置、方法、及びプログラムは、一体型カードを使用してキャッシュカード取引が行われるときに、クレジットカード情報を含む情報が記録された磁気ストライプの読み出しエラーが発生した場合であってもキャッシュカード取引が可能になる、という効果を奏する。
【図面の簡単な説明】
【００２１】
【図１】一実施の形態に係る自動取引装置を含む自動取引システムの構成を例示する図である。
【図２】一実施の形態に係る自動取引装置の外観構成を例示する図である。
【図３】一実施の形態に係る自動取引装置のハードウェア構成を例示する図である。
【図４】一実施の形態に係る自動取引装置の機能ブロック構成を例示する図である。
【図５】カード挿入部に挿入されるカードが有する磁気ストライプのデータフォーマットを例示する図である。
【図６】カード挿入部に挿入されるカードが有するＩＣチップに記録されるキャッシュカード情報に含まれる口座情報のデータフォーマットを例示する図である。
【図７】一実施の形態に係る自動取引装置において実行されるＡＴＭ取引処理の流れを例示するフローチャートである。
【図８】一実施の形態に係る自動取引装置において実行されるキャッシュカード専用取引処理の流れを例示するフローチャートである。
【図９】顧客用表示入力部に表示される画面遷移を例示する図（その１）である。
【図１０】顧客用表示入力部に表示される画面遷移を例示する図（その２）である。
【図１１】磁気ストライプへの暫定書き込みを例示する図である。
【図１２】４種類のカードを例示する図である。
【発明を実施するための形態】
【００２２】
以下、図面を参照しながら本発明の実施の形態について説明する。
図１は、一実施の形態に係る自動取引装置を含む自動取引システムの構成を例示する図である。
【００２３】
図１において、自動取引システム１は、銀行等の金融機関の店舗やコンビニエンスストアの店舗等に設置される自動取引装置２と、金融機関が管理するホストコンピュータ３とを含む。自動取引装置２は、例えばＡＴＭであり、ネットワーク４を介してホストコンピュータ３と通信可能に接続されている。ネットワーク４は、例えば、インターネット、イントラネット、又は自動取引システム１のための専用の通信網である。
【００２４】
図２は、一実施の形態に係る自動取引装置の外観構成を例示する図である。
図２に例示したように、自動取引装置２は、通帳挿入部１０、カード挿入部１１、硬貨入出金部１２、紙幣入出金部１３、及び顧客用表示入力部１４を備える。
【００２５】
通帳挿入部１０は、通帳の受け付け及び返却を行う。
カード挿入部１１は、取引に使用されるカード（上述の（１）〜（４）の４種類のカード等）の受け付け及び返却を行う。また、カード挿入部１１は、取引明細が印刷されたレシートの排出も行う。
【００２６】
硬貨入出金部１２は、硬貨の受け付け及び払い出しを行う。
紙幣入出金部１３は、紙幣の受け付け及び払い出しを行う。
【００２７】
顧客用表示入力部１４は、顧客向けの各種画面（後述する取引選択画面、カード挿入画面、取扱中画面、カード返却画面等）の表示や、顧客による操作入力を受け付ける。
【００２８】
また、図示はしないが、自動取引装置２は、装置背面側に係員用表示入力部も備える。係員用表示入力部は、係員向けの各種画面（操作画面等）の表示や、係員による操作入力を受け付ける。
【００２９】
図３は、一実施の形態に係る自動取引装置のハードウェア構成を例示する図である。
図３に例示したように、自動取引装置２は、ＡＴＭ制御部２０、紙幣処理ユニット３０、硬貨処理ユニット４０、通帳処理ユニット５０、カード処理ユニット６０、及びレシート発行処理ユニット７０を備える。
【００３０】
ＡＴＭ制御部２０は、主制御部２１、メモリ２２、ハードディスク２３、ホスト通信制御部２４、顧客用画面表示部２５、顧客用キー入力部２６、係員用画面表示部２７、係員用キー入力部２８、及びＩＯ（Input Output）制御部２９を備える。なお、ＡＴＭ制御部２０は、コンピュータの一例である。
【００３１】
主制御部２１は、ＣＰＵ（Central Processing Unit）を含み、自動取引装置２の全体を制御する。例えば、主制御部２１は、ＩＯ制御部２９を介して、紙幣処理ユニット３０、硬貨処理ユニット４０、通帳処理ユニット５０、カード処理ユニット６０、及びレシート発行処理ユニット７０を制御する。
【００３２】
メモリ２２は、ＲＡＭ（Random Access Memory）及びＲＯＭ（Read Only Memory）等により構成される。ＲＡＭは、主制御部２１のＣＰＵにより実行されるプログラムの一部や、そのＣＰＵの処理に必要な各種データ等が一時的に格納される。ＣＰＵにより実行されるプログラムは、ＯＳ（Operating System）のプログラムや自動取引装置２の各機能を制御し実行するための制御プログラム（自動取引プログラムを含む）である。
【００３３】
メモリ２２のＲＯＭ及びハードディスク２３は、主制御部２１のＣＰＵにより実行されるプログラムや、ＣＰＵの処理に必要な各種データ等が記録される。
【００３４】
ホスト通信制御部２４は、ホストコンピュータ３との通信を制御する。ホスト通信制御部２４は、ネットワーク４に接続される他の装置との通信を制御することもできる。
【００３５】
顧客用画面表示部２５及び顧客用キー入力部２６は、顧客が自動取引装置２を操作する際のインタフェースであり、上述の顧客用表示入力部１４でもある。より詳しくは、顧客用画面表示部２５は、顧客向けの各種画面を表示する。顧客用キー入力部２６は、顧客による操作入力に使用される、テンキーやキーボタン等として機能するタッチパネルであり、顧客用画面表示部２５上に配置される。
【００３６】
係員用画面表示部２７及び係員用キー入力部２８は、係員が自動取引装置２を操作する際のインタフェースであり、上述の図示しない係員用表示入力部でもある。より詳しくは、係員用画面表示部２７は、係員向けの各種画面を表示する。係員用キー入力部２８は、係員による操作入力に使用される、テンキーやキーボタン等として機能するタッチパネルであり、係員用画面表示部２７上に配置される。
【００３７】
ＩＯ制御部２９は、紙幣処理ユニット３０、硬貨処理ユニット４０、通帳処理ユニット５０、カード処理ユニット６０、及びレシート発行処理ユニット７０との間の入出力インタフェースである。
【００３８】
なお、ＡＴＭ制御部２０において、ハードディスク２３に記録されるＯＳのプログラムや制御プログラムは、例えば、図示しない外部装置から、ネットワーク４及びホスト通信制御部２４を介してハードディスク２３に記録されてもよい。あるいは、図示しない可搬型記録媒体から、図示しない可搬型記録媒体インタフェースを介して、ハードディスク２３に記録されてもよい。また、主制御部２１のＣＰＵにより実行されるＯＳのプログラムや制御プログラムは、例えば、図示しない外部装置から、ネットワーク４及びホスト通信制御部２４を介して、メモリ２２のＲＡＭに格納され、ＣＰＵにより実行されてもよい。あるいは、図示しない可搬型記録媒体から、図示しない可搬型記録媒体インタフェースを介して、メモリ２２のＲＡＭに格納され、主制御部２１のＣＰＵにより実行されてもよい。
【００３９】
紙幣処理ユニット３０は、入金や振込みのときに紙幣入出金部１３に投入された紙幣の枚数を計数し、紙幣の種類を判別する。また、紙幣の払い出しを行うときに、払い出すための紙幣を計数する。
【００４０】
硬貨処理ユニット４０は、入金や振込みのときに硬貨入出金部１２に投入された硬貨の枚数を計数し、硬貨の種類を判別する。また、硬貨の払い出しを行うときに、払い出すための硬貨を計数する。
【００４１】
通帳処理ユニット５０は、通帳挿入部１０に挿入された通帳が有する磁気ストライプに記録されたデータを読み出す。また、通帳に対して通帳記入を行う。
【００４２】
カード処理ユニット６０は、カード挿入部１１に挿入されたカードが有する磁気ストライプやＩＣ（integrated circuit）チップに対して、情報の読み出し及び書き込みを行う。
【００４３】
レシート発行処理ユニット７０は、取引結果の確認のための取引明細が印刷されたレシートを発行し、カード挿入部１１から排出する。
【００４４】
図４は、一実施の形態に係る自動取引装置の機能ブロック構成を例示する図である。
但し、図４には、磁気ストライプとＩＣチップとを有するカードを使用してキャッシュカード取引処理を実行する構成に係る主たる機能ブロックのみを例示する。
【００４５】
図４に例示したように、自動取引装置２は、磁気ストライプ読み書き部８１、ＩＣチップ読み出し部８２、及び取引処理実行部８３を備える。
【００４６】
磁気ストライプ読み書き部８１は、カード挿入部１１に挿入されたカードが有する磁気ストライプに記録された情報の読み出し、及び、その磁気ストライプへの情報の書き込みを行う。
【００４７】
ＩＣチップ読み出し部８２は、カード挿入部１１に挿入されたカードが有するＩＣチップに記録された情報の読み出しを行う。
【００４８】
取引処理実行部８３は、入金や振込み等のキャッシュカード取引処理を実行する。
図４に例示した機能ブロック構成において、例えば、上述の（４）の一体型カード１３０が正方向にカード挿入部１１に挿入されてキャッシュカード取引が行われる場合は、まず、磁気ストライプ読み書き部８１が磁気ストライプ１３１に記録された情報の読み出しを行う。このときに磁気ストライプ１３１の読み出しエラーが発生した場合は、ＩＣチップ読み出し部８２がＩＣチップ１３３に記録された情報を暫定的に読み出す。そして、このときに読み出された情報に基づいて取引処理実行部８３がキャッシュカード取引処理を実行可能である場合は、磁気ストライプ読み書き部８１が磁気ストライプ１３１にＩＣチップ有り情報（カードがＩＣチップを有することを示す情報）を暫定的に書き込み、一体型カード１３０がカード挿入部１１から一旦返却される。その後、その一体型カード１３０が正方向にカード挿入部１１に挿入されると、磁気ストライプ読み書き部８１が磁気ストライプ１３１に記録された情報を読み出し、当該情報にＩＣチップ有り情報が含まれる場合は、ＩＣチップ読み出し部８２がＩＣチップ１３３に記録された情報を読み出し、当該情報に基づいて取引処理実行部８３がキャッシュカード取引処理を実行する。
【００４９】
図５は、カード挿入部に挿入されるカードが有する磁気ストライプのデータフォーマットを例示する図である。なお、このデータフォーマットは、全国銀行協会が定めた仕様により規定されるデータフォーマットでもある。
【００５０】
図５に例示したように、磁気ストライプには、「始め符号」と、「ＩＤマーク」と、「銀行承認マーク」と、「暗証番号」と、「銀行番号」と、「支店番号」と、「広義の口座番号」である「口座番号」、「本人／代理人区分」、「カード通番」、及び「科目コード」と、「各行任意フィールド」と、「オフライン使用項目」と、「予備フィールド」と、「有効性コード」と、「終り符号」と、「ＢＣＣ」の各項目のデータが記録される。また、このときの各項目のデータは、図５に例示した所定の桁数（１６進表記の桁数）の長さで記録される。
【００５１】
ここで、「有効性コード」のデータは、例えば、自動取引装置２が取引処理を実行する際に、ＩＣチップ（磁気ストライプを有するカードのＩＣチップ）に記録された情報の読み出しを行うか否かを判定する際に使用される。例えば、「有効性コード」のデータが“０”〜“３”のいずれかの値である場合は、ＩＣチップに記録された情報の読み出しを行わないと判定し、磁気ストライプに記録された情報に基づいて取引処理を実行する。また、「有効性コード」のデータが“４”〜“７”のいずれかの値である場合は、ＩＣチップに記録された情報の読み出しを行うと判定し、ＩＣチップに記録された情報に基づいて取引処理を実行する。なお、この場合の“４”〜“７”のいずれかの値である「有効性コード」のデータは、カードがＩＣチップを有することを示すデータでもある。一方、「有効性コード」のデータが“８”〜“Ｂ”のいずれかの値である場合は、この値が、カードが正方向に挿入されたときにＩＣチップが有ることを示すデータであるので、自動取引装置２は、カードの挿入方向を正方向にして挿入し直すよう案内すると共に、カードを一旦返却する。
【００５２】
例えば、上述の（４）の一体型カード１３０の場合は、クレジットカード情報を含む情報が記録される磁気ストライプ１３１の「有効性コード」のデータとして“４”〜“７”のいずれかの値が記録される。また、キャッシュカード情報を含む情報が記録される磁気ストライプ１３２の「有効性コード」のデータとして“８”〜“Ｂ”のいずれかの値が記録される。
【００５３】
また、「銀行承認マーク」と「銀行番号」のデータは、例えば、磁気ストライプに記録された情報が、自行のキャッシュカード情報を含む情報であるか、提携クレジットカード会社のクレジットカード情報を含む情報であるかを判定する際に使用される。例えば、「銀行承認マーク」のデータが“ａ”、且つ、「銀行番号」のデータが自行の金融機関番号である場合は、磁気ストライプに記録された情報が自行のキャッシュカード情報を含む情報であると判定する。また、「銀行承認マーク」のデータが提携クレジットカード業態コード、且つ、「銀行番号」のデータが提携クレジットカード会社コードである場合は、磁気ストライプに記録された情報が提携クレジットカード会社のクレジットカード情報を含む情報であると判定する。
【００５４】
図６は、カード挿入部に挿入されるカードが有するＩＣチップに記録されるキャッシュカード情報に含まれる口座情報のデータフォーマットを例示する図である。なお、このデータフォーマットは、全国銀行協会が定めた仕様により規定されるデータフォーマットでもある。
【００５５】
図６に例示したように、ＩＣチップには、キャッシュカード情報に含まれる口座情報として、「統一金融機関コード」、「統一店番号」、「預金種目」、及び「口座番号」の各項目のデータが記録される。また、このときの各項目のデータは、図６に例示した所定の桁数（１６進表記の桁数）の長さで記録され、合計で１８桁、９バイトのデータとして記録される。
【００５６】
次に、自動取引装置２において実行される取引処理について説明する。
図７は、一実施の形態に係る自動取引装置において実行されるＡＴＭ取引処理の流れを例示するフローチャートである。図８は、一実施の形態に係る自動取引装置において実行されるキャッシュカード専用取引処理の流れを例示するフローチャートである。図９及び図１０は、顧客用表示入力部に表示される画面遷移を例示する図である。図１１は、磁気ストライプへの暫定書き込みを例示する図である。
【００５７】
自動取引装置２では、電源が投入され、初期化処理等が行われて取引処理の実行が可能な状態になると、主制御部２１は、図９に例示した取引選択画面８６を顧客用表示入力部１４に表示させる。取引選択画面８６には、「お引出し」、「お預入れ」、「お振込」、「カードローン」等の各種の取引ボタン（取引キーとも言う）が表示され、顧客は所望の取引ボタンを押下することにより所望の取引を開始することができる。
【００５８】
ここで、顧客がキャッシュカード取引に係る取引ボタン（例えば「お引出し」の取引ボタン）を押下したとすると、主制御部２１は、図９に例示したカード挿入画面８７を顧客用表示入力部１４に表示させる。カード挿入画面８７には、カード挿入部１１へのカード挿入を顧客に促すメッセージや、取引を取り消す（取引選択画面８６に戻る）ための「取消」ボタンが表示される。
【００５９】
ここで、顧客が上述の（４）の一体型カード１３０を正方向にカード挿入部１１に挿入したとすると、自動取引装置２では、図７に例示したＡＴＭ取引処理が開始される。
【００６０】
まず、Ｓ７０１において、カード処理ユニット６０は、挿入された一体型カード１３０の磁気ストライプ１３１に記録された情報の読み出し（「ＭＳ（Magnetic Stripe）リード」）を行う。
【００６１】
Ｓ７０２において、主制御部２１は、Ｓ７０１でのＭＳリードの結果、読み出しエラー（「ＭＳリードエラー」）が発生したか否かを判定する。
【００６２】
Ｓ７０２の判定結果がＮＯの場合は、通常取引処理へ移行する。通常取引処理は、公知の処理であるので説明を省略するが、取引選択画面８６で押下された取引ボタンに応じた取引処理（ここではキャッシュカード取引処理）が実行される。
【００６３】
一方、Ｓ７０２の判定結果がＹＥＳの場合、Ｓ７０３において、主制御部２１は、図９に例示した取扱中画面８８を顧客用表示入力部１４に表示させ、カード処理ユニット６０は、挿入されている一体型カード１３０のＩＣチップ１３３に記録された情報を暫定的に読み出す（「ＩＣチップアクセス」）。
【００６４】
Ｓ７０４において、主制御部２１は、Ｓ７０３でＩＣチップ１３３から読み出された情報に基づいて、取引選択画面８６で押下された取引ボタンに応じた取引処理（ここではキャッシュカード取引処理）の実行が可能であるか否か（「ＩＣチップアクセスＯＫ？」）を判定する。より詳しくは、Ｓ７０３でＩＣチップ１３３から読み出された情報に、キャッシュカード情報（口座情報（図６参照）等）が含まれるか否かを判定する。
【００６５】
なお、ＩＣチップ１３３に記録されるキャッシュカード情報は、ＩＣチップ１３３に記録される全銀協アプリ（全国銀行協会アプリケーション）の一部として記録されるものであり、Ｓ７０３及びＳ７０４は、ＩＣチップ１３３から全銀協アプリを検索して全銀協アプリが有ったか否かを判定する処理でもある。
【００６６】
Ｓ７０４の判定結果がＮＯの場合、Ｓ７０５において、主制御部２１は、挿入された一体型カード１３０の読み取りが不可である旨のメッセージや、顧客を金融機関窓口に誘導、案内するメッセージを含むカード返却画面を顧客用表示入力部１４に表示させると共に、挿入されている一体型カード１３０をカード挿入部１１から返却し、図７に例示したＡＴＭ取引処理が終了する。
【００６７】
一方、Ｓ７０４の判定結果がＹＥＳの場合、Ｓ７０６において、主制御部２１は、図９に例示した取扱中画面８９を顧客用表示入力部１４に表示させ、カード処理ユニット６０は、挿入されている一体型カード１３０の磁気ストライプ１３１に、ＩＣチップ有り情報（カードがＩＣチップを有することを示す情報）等を暫定的に書き込む（「ＭＳ暫定書き込み」）。ＭＳ暫定書き込みでは、図１１に例示したように、磁気ストライプ１３１の「予備フィールド」の任意の桁（例えば下位２桁）に、ＩＣチップ有り情報（例えば文字コード「ＩＣ」）が暫定的に書き込まれる。また、磁気ストライプ１３１の「銀行番号」及び「支店番号」には、ＩＣチップ１３３から読み出された口座情報（図６参照）に含まれる「統一金融機関コード」の４桁のデータ及び「統一店番号」の下位４桁のデータが、キャッシュカード判別に必要な最低限のデータとして、暫定的に書き込まれる。磁気ストライプ１３１のその他の項目には、任意のデータが暫定的に書き込まれる。
【００６８】
Ｓ７０６が終了すると、Ｓ７０７において、主制御部２１は、図９に例示したカード返却画面９０を顧客用表示入力部１４に表示させると共に、挿入されている一体型カード１３０をカード挿入部１１から返却する。カード返却画面９０には、磁気ストライプ１３１が壊れていることや、引き続きキャッシュカード取引を希望する場合の案内や、クレジットカード取引を希望する場合の案内、といったメッセージが表示される。なお、このときのメッセージをレシート発行処理ユニット７０がレシートに印刷して、返却される一体型カード１３０と共にカード挿入部１１から排出するようにしてもよい。
【００６９】
Ｓ７０７が終了すると、図７に例示したＡＴＭ取引処理が終了し、主制御部２１は、図１０に例示した取引選択画面９１（図９に例示した取引選択画面８６でもある）を顧客用表示入力部１４に表示させる。
【００７０】
ここで、顧客が、引き続きキャッシュカード取引を行うために、取引選択画面９１の「その他のお取引・おトクな情報」ボタンを押下したとすると、主制御部２１は、図１０に例示した取引選択画面９２を顧客用表示入力部１４に表示させる。取引選択画面９２には、Ｓ７０７で顧客用表示入力部１４に表示されたカード返却画面９０で案内されていた「キャッシュカード専用取引」を可能にする「キャッシュカード専用取引」ボタン等が表示される。
【００７１】
ここで、顧客が、「キャッシュカード専用取引」ボタンを押下したとすると、主制御部２１は、図１０に例示したカード挿入画面９３（図９に例示したカード挿入画面８７でもある）を顧客用表示入力部１４に表示させる。
【００７２】
ここで、顧客が、Ｓ７０７で返却された一体型カード１３０を正方向にカード挿入部１１に再挿入したとすると、自動取引装置２では、図８に例示したキャッシュカード専用取引処理が開始される。
【００７３】
まず、Ｓ８０１において、カード処理ユニット６０は、再挿入された一体型カード１３０の磁気ストライプ１３１に記録された情報の読み出し（「ＭＳリード」）を行う。
【００７４】
Ｓ８０２において、主制御部２１は、Ｓ８０１で磁気ストライプ１３１から読み出された情報に、ＩＣチップ有り情報（図７のＳ７０６で書き込まれたＩＣチップ有り情報）が含まれるか否かを判定する。
【００７５】
Ｓ８０２の判定結果がＮＯの場合、Ｓ８０３において、主制御部２１は、再挿入された一体型カード１３０が使用不可である旨のメッセージや、顧客を金融機関窓口に誘導、案内するメッセージを含むカード返却画面を顧客用表示入力部１４に表示させると共に、再挿入されている一体型カード１３０をカード挿入部１１から返却し、図８に例示したキャッシュカード専用取引処理が終了する。
【００７６】
一方、Ｓ８０２の判定結果がＹＥＳの場合、Ｓ８０４において、主制御部２１は、図１０に例示した取扱中画面９４（図９に例示した取扱中画面８８でもある）を顧客用表示入力部１４に表示させ、カード処理ユニット６０は、再挿入されている一体型カード１３０のＩＣチップ１３３に記録された情報を読み出す（「ＩＣチップアクセス」）。
【００７７】
Ｓ８０５において、主制御部２１は、Ｓ８０４でＩＣチップ１３３から読み出された情報に基づいて、キャッシュカード取引処理を実行可能であるか否か（「ＩＣチップアクセスＯＫ？」）を判定する。より詳しくは、Ｓ８０４でＩＣチップ１３３から読み出された情報に、キャッシュカード情報（口座情報（図６参照）等）が含まれるか否かを判定する。
【００７８】
なお、Ｓ８０４及びＳ８０５は、Ｓ７０３及びＳ７０４と同様に、ＩＣチップ１３３から全銀協アプリを検索して全銀協アプリが有ったか否かを判定する処理でもある。
【００７９】
Ｓ８０５の判定結果がＮＯの場合、Ｓ８０６において、主制御部２１は、再挿入された一体型カード１３０が使用不可である旨のメッセージや、顧客を金融機関窓口に誘導、案内するメッセージを含むカード返却画面を顧客用表示入力部１４に表示させると共に、再挿入されている一体型カード１３０をカード挿入部１１から返却し、図８に例示したキャッシュカード専用取引処理が終了する。
【００８０】
一方、Ｓ８０５の判定結果がＹＥＳの場合、Ｓ８０７において、主制御部２１は、図１０に例示した取引選択画面９５（取引選択画面９１や図８に例示した取引選択画面８６でもある）を顧客用表示入力部１４に表示させる。
【００８１】
ここで、顧客がキャッシュカード取引に係る取引ボタン（例えば「お引出し」の取引ボタン）を押下したとすると、Ｓ８０８において、主制御部２１は、押下された取引ボタンに応じたキャッシュカード取引処理を、ＩＣチップ１３３に記録された情報に含まれるキャッシュカード情報（口座情報（図６参照）等）に基づいて実行する。なお、キャッシュカード情報に基づいて実行されるキャッシュカード取引処理は、公知の処理であるので説明を省略する。
【００８２】
Ｓ８０８が終了すると、Ｓ８０９において、主制御部２１は、図１０に例示したカード返却画面９６を顧客用表示入力部１４に表示させると共に、再挿入されている一体型カード１３０をカード挿入部１１から返却する。カード返却画面９６には、磁気ストライプ１３１が壊れていることやカード修復のための案内、といったメッセージが表示される。
Ｓ８０９が終了すると、図８に例示したキャッシュカード専用取引処理が終了する。
【００８３】
以上のように、本実施形態によれば、上述の（４）の一体型カード１３０を使用してキャッシュカード取引が行われるときに、クレジットカード情報を含む情報が記録された磁気ストライプ１３１の読み出しエラーが発生した場合であっても、キャッシュカード取引が可能になる。また、顧客は、カード再発行等のクレジットカード会社での対応が為されるまで待たされることなく、キャッシュカード取引が可能になる。
【００８４】
なお、本実施形態において、図１０に例示した取引選択画面９５では、キャッシュカード取引に係る取引ボタンのみが表示されるようにしてもよい。
【００８５】
以上、本発明の実施の形態を説明したが、本発明は、上述した実施の形態に限定されることなく、本発明の要旨を逸脱しない範囲内で種々の改良・変更が可能である。
【符号の説明】
【００８６】
１              自動取引システム
２              自動取引装置
３              ホストコンピュータ
４              ネットワーク
１０            通帳挿入部
１１            カード挿入部
１２            硬貨入出金部
１３            紙幣入出金部
１４            顧客用表示入力部
２０            ＡＴＭ制御部
２１            主制御部
２２            メモリ
２３            ハードディスク
２４            ホスト通信制御部
２５            顧客用画面表示部
２６            顧客用キー入力部
２７            係員用画面表示部
２８            係員用キー入力部
２９            ＩＯ制御部
３０            紙幣処理ユニット
４０            硬貨処理ユニット
５０            通帳処理ユニット
６０            カード処理ユニット
７０            レシート発行処理ユニット
８１            磁気ストライプ読み書き部
８２            ＩＣチップ読み出し部
８３            取引処理実行部
８６            取引選択画面
８７            カード挿入画面
８８、８９      取扱中画面
９０            カード返却画面
９１、９２      取引選択画面
９３            カード挿入画面
９４            取扱中画面
９５            取引選択画面
９６            カード返却画面
１００          カード、キャッシュカード
１０１          磁気ストライプ
１０２          矢印
１１０          カード、クレジットカード
１１１          磁気ストライプ
１１２          矢印
１２０          カード、キャッシュカード
１２１          磁気ストライプ
１２２          ＩＣチップ
１２３          矢印
１３０          カード、一体型カード
１３１、１３２  磁気ストライプ
１３３          ＩＣチップ
１３４、１３５  矢印
【図１】
2019120956.tif 000003
【図２】
2019120956.tif 000004
【図３】
2019120956.tif 000005
【図４】
2019120956.tif 000006
【図５】
2019120956.tif 000007
【図６】
2019120956.tif 000008
【図７】
2019120956.tif 000009
【図８】
2019120956.tif 000010
【図９】
2019120956.tif 000011
【図１０】
2019120956.tif 000012
【図１１】
2019120956.tif 000013
【図１２】
2019120956.tif 000014